【事件の表示】
　特願２００８−５３８４２６「有機物質に由来する揮発性有機化合物の吸着」拒絶査定不服審判事件〔平成１９年　５月１０日国際公開、ＷＯ２００７／０５２０７４、平成２１年　４月　２日国内公表、特表２００９−５１３３４４〕について、次のとおり審決する。
【結　論】
　本件審判の請求は、成り立たない。
【理　由】
第１．手続の経緯
　
　本願は、平成１８年１０月２６日（パリ条約による優先権主張外国庁受理：平成１７年１１月　１日、英国）を国際出願日とする出願であって、原審にて平成２６年　８月２１日付けの拒絶査定がされ、同年１２月２４日にこの査定を不服とする本件審判の請求がされたものであり、これに対し、当審にて平成２８年　１月１３日付けの拒絶理由を通知したところ、同年　７月１５日付けの意見書の提出と共に手続補正がされたものである。
　
第２．本願発明の認定
　
　本願の請求項１に係る発明（以下、「本願発明」という。）は、平成２８年　７月１５日付けの手続補正により補正された特許請求の範囲の請求項１に記載された次の事項により特定されるとおりのものと認められる。
　
「パラジウムドーピングされた水素-ZSM-5の使用であって、
　有機物質に由来する揮発性有機化合物(VOC)を吸着するものであり、
　前記水素-ZSM-5のＳｉ：Ａｌ比が22：1〜28：1であり、
　前記VOCが、−10℃〜30℃の温度で吸着されてなる、使用。」
　
第３．当審通知の拒絶理由
　
　当審にて通知した拒絶理由の一つは、
　特開平９−２４９８２４号公報（以下、「引用例」という。）
を引用し、
「本願発明は、その優先権主張の基礎とされた先の出願前に日本国内又は外国において頒布された刊行物に記載された発明又は電気通信回線を通じて公衆に利用可能となった発明に基いて、その優先権主張の基礎とされた先の出願前にその発明の属する技術の分野における通常の知識を有する者（以下、「当業者」という。）が容易に発明をすることができたものであるから、特許法第２９条第２項の規定により特許を受けることができない。」
というものである。
　
第４．引用例の記載
　
【００１５】
【発明の実施の形態】以下、本発明の具体的な実施形態を図面を参照しながら説明する。疎水性合成ゼオライトであるＨ型ＺＳＭ５を用いてシリカ／アルミナ比が５６、９２、４３０となるように粉を作成し、この粉４ｇについて２７リットルの密閉ボックス内で清浄空気をパージした後、蒸留水を蒸発させて９５％ＲＨ以上の高湿度雰囲気とし、中にアンモニアを蒸発させて１００ｐｐｍの初期濃度とし、通風して粉を循環させ、濃度の変化をガスセンサーにて測定することによりこれらの吸着性能を測定した。図１がその結果を示すグラフである。シリカ／アルミナ比が高いほど疎水性が向上するとされているが、４３０では逆に吸着性能が低下しており、シリカ／アルミナ比は９２以下で良い。
【００１６】さらに、シリカ／アルミナ比が９０の合成ゼオライトＨ型ＺＳＭ５を用い、この中心イオンの水素イオンを粉の重量比で１％を白金、パラジウム、銅、銀等のイオンでイオン交換させた。これらの各種臭気成分に対する吸着性能を見るために同上の方法により乾燥雰囲気のなかで各種ガスを発生させて、吸着性能を測定した。図２はアンモニア（初期濃度１７０ｐｐｍ）、図３はトリメチルアミン（初期濃度９０ｐｐｍ）、図４は硫化水素、図５はエチルメルカプタン（初期濃度８０ｐｐｍ）、図６は硫化メチル（初期濃度１００ｐｐｍ）、図７は酢酸（初期濃度１４０ｐｐｍ）、図８はアセトアルデヒド（初期濃度６５ｐｐｍ）、図９はエチレン（初期濃度１４００ｐｐｍ）に対するものである。なお、各図において、ブランクとは、密閉ボックス内に吸着剤を入れないときのガスセンサー値である。
【００１７】これらのグラフより、銅イオン交換ＺＳＭ５、パラジウムイオン交換ＺＳＭ５は大抵の臭気に対して吸着性能が優れていることがわかる。なお、イオン交換率を重量比で１％以上にすれば、吸着性能がいずれの臭気に対しても活性炭と同等またはこれを凌賀するようになる。図５において、銅イオン交換ＺＳＭ５の重量比を０．５％から１％にすると、吸着性能が向上して活性炭とほぼ同等になることが判る。
【図１】
【図９】
第５．引用発明の認定
　引用例の【００１６】【図９】には、シリカ／アルミナ比が９０の合成ゼオライトＨ型ＺＳＭ５の水素イオンを白金、パラジウム、銅、銀等でイオン交換させた吸着剤を用いエチレンの吸着性能を測定したこと、【００１７】には、当該測定の結果、パラジウムイオン交換ＺＳＭ５の吸着性能が優れていたことが記載されている。
　これによると、引用例には、本願発明の記載に則して整理すると、次の発明（以下、「引用発明」という。）が記載されていると認められる。
「パラジウムでイオン交換されたＨ型ＺＳＭ５の使用方法であって、
　エチレンを吸着するものであり、、
　前記Ｈ型ＺＳＭ５のシリカ／アルミナ比が９０である使用方法。」
第６．発明の対比
　本願発明と引用発明とを対比すると、引用発明の「パラジウムでイオン交換されたＨ型ＺＳＭ５」「エチレン」は、それぞれ本願発明の「パラジウムドーピングされた水素−ＺＳＭ−５」「揮発性有機化合物（ＶＯＣ）」に相当するから、本願発明は、
「パラジウムドーピングされた水素−ＺＳＭ−５の使用であって、
　揮発性有機化合物（ＶＯＣ）を吸着するものである使用。」
の点では、引用発明と一致し、次の点で両者は相違する。
相違点１：本願発明の揮発性有機化合物（ＶＯＣ）が「有機物質に由来する」ものであるのに対し、引用発明のエチレンは由来が不明である点。
相違点２：本願発明の水素−ＺＳＭ−５の「Ｓｉ：Ａｌ比が２２：１〜２８：１」であるのに対し、引用発明のＨ型ＺＳＭ５のシリカ／アルミナ比が９０（Ｓｉ：Ａｌ比が４５：１）である点。
相違点３：本願発明では、「ＶＯＣが、−１０℃〜３０℃の温度で吸着されてなる」のに対し、引用発明では、エチレンの吸着時の温度が不明である点。
第７．相違点の判断
　相違点１〜３について検討する。
相違点１について
　本願明細書【０００２】には、有機物質に由来するＶＯＣとして、熟成を引き起こす植物ホルモンであるエチレンが挙げられているが、当該エチレンを、青果物等の鮮度保持のために吸着除去することは、当業者に周知である（要すれば、特開平２−１９８６２９号公報、特開平３−２８０８２７号公報、特開２００１−２１２４１８号公報等参照）。
　してみると、引用発明において、エチレンを青果物等の有機物質に由来するものにすることは、周知技術から当業者が容易に想到し得た用途限定といえる。
相違点２について
　引用例の【００１５】には、引用発明で使用しているＨ型ＺＳＭ５のシリカ／アルミナ比について、９２以下が良いことが記載され、【図１】には、該比が５６と９２の場合の吸着性能が略同等であることが記載されている。
　してみると、引用発明において、シリカ／アルミナ比を５６（Ｓｉ：Ａｌ比が２８：１）に変更することは、これらの記載から当業者が容易になし得た設計変更といえる。
　
相違点３について
　引用例の【００１５】【００１６】には、引用発明による吸着試験を、２７リットルの密閉ボックス内にて乾燥雰囲気のなかで実施したことは記載されているが、当該雰囲気の温度を制御したことは記載されていない。
　してみると、引用発明における吸着時の温度が、温度制御を要する−１０℃未満の低温や３０℃を超える高温であったとは認められない。
　すなわち、相違点３は実質的な差異ではない。
　そして、当業者にとって、引用発明において相違点１，２を共に解消することは格別困難なことではないし、本願発明が相違点１，２によって予期し得ない効果を奏するわけでもない。
　したがって、本願発明は、引用例に記載された発明に基いて、当業者が容易に発明をすることができたものである。
　なお、請求人は意見書で、本願発明は、Ｓｉ：Ａｌ比が２３：１付近において、優れた効果を奏する旨主張しているが、本願明細書の【００４８】及び【図３】の記載によれば、優れた効果を奏するのは、ＳｉＯ２：Ａｌ２Ｏ３比が２３：１付近と認められる。
　したがって、Ｓｉ：Ａｌ比を２２：１〜２８：１（ＳｉＯ２：Ａｌ２Ｏ３比が４６：１〜５６：１）に特定する本願発明の進歩性を、当該効果を参酌して判断することはできない。
第８．むすび
　
　以上のとおりであるから、本願発明は、特許法第２９条第２項の規定により特許を受けることができない。
　したがって、本願は、当審拒絶の理由により拒絶すべきものである。
　よって、結論のとおり審決する。